(57)【要約】【課題】多層紙の表出する紙層に透明化インキを印刷し、透かし形成部に異なった色の透かしを発現させた透かし入り多層紙を提供する。【解決手段】抄紙段階で、上層紙とそれぞれが上層紙と異なる色に着色された一から三の紙層が積層された二乃至四層紙であって、表出する少なくとも何れかの紙層に透明化インキにより透かしパターンが形成され、透明化インキによる透かしパターンは多層紙の抄紙後に形成される透かし入り多層紙を提供する。【選択図】  図１
2008174873.tif 000002
【特許請求の範囲】
【請求項１】
抄紙段階で上層紙と上層紙と異なる色で着色された下層紙が積層された二層紙であって、
少なくとも上層紙には透明化インキにより透かしパターンが形成されたことを特徴とする透かし入り多層紙。
【請求項２】
抄紙段階で、上層紙とそれぞれが上層紙と異なる色に着色された二つの紙層が積層された三層紙であって、
表出する少なくとも何れかの紙層に透明化インキにより透かしパターンが形成されたことを特徴とする透かし入り多層紙。
【請求項３】
抄紙段階で、上層紙，それぞれが上層紙と異なる色に着色された二つの中間層紙，上層紙と同一色の下層紙が順次積層された四層紙であって、
表出する少なくとも何れかの紙層に透明化インキにより透かしパターンが形成されたことを特徴とする透かし入り多層紙。
【請求項４】
請求項１〜３何れか一項に記載の透かし入り多層紙において、
透明化インキによる透かしパターンは、多層紙の抄紙後に形成されることを特徴とする透かし入り多層紙。
【請求項５】
請求項１〜４何れか一項に記載の透かし入り多層紙において、
表出する何れかの紙層には、抄紙の段階で抄きこまれたスレッドが部分的に表出していることを特徴とする透かし入り多層紙。
【発明の詳細な説明】
【技術分野】
【０００１】
本発明は、透かし入り多層紙に関し、詳しくは、多層紙の表出紙に透明化インキによる有色の透かしが形成された透かし入り多層紙に関する。
【背景技術】
【０００２】
従来から、簀の目模様を形成させた紙が利用されている。簀の目模様を形成させた紙は一種の透かし入り用紙であるが、複数枚重ね合わせた厚紙に適用する場合、透かし模様の発現が困難であった。
また、表層に簀の目模様を形成させ、裏層にも簀の目模様を形成させると、簀の目模様の横線を一致させる事は困難で、透かし模様に明暗が生じ、好ましい結果が得られなかった。そのため、透かし模様を要求されない厚紙の表層に適用するか、一層抄きの筆記用紙や書籍用紙に適用されてきた。
そこで、従来不可能とされてきた抄き合せ厚紙において、簀の目模様を表面に形成させると共に、透かし線も現われる新しい「簀の目模様の厚紙」が提供されている（例えば、特許文献１参照）。
特許文献１に開示されている技術は、多層抄き厚紙の中間層に簀の目模様を形成せしめた層を抄き合せた厚紙において、簀の目模様形成層の原料パルプを着色、他の層の原料パルプが無染色又は異なる色で着色してなる坪量９０〜２５０ｇ／ｍ2の簀の目模様の厚紙であるとし、また、３〜５層抄きの円網抄紙機の中間層を形成する１つの円網が直径１．８〜２．２ｍｍの金属線を横線とし２５．４ｍｍ当り１０〜８本配置した簀の目金網を張った円網を用い、抄造した簀の目模様の厚紙であるとしている。
【０００３】
【特許文献１】特開平１１−９３０９８号公報
【発明の開示】
【発明が解決しようとする課題】
【０００４】
特許文献１に開示されている技術は、抄き合せ厚紙において、簀の目模様を表面に形成させると共に透かし線も現われる簀の目模様の厚紙を提供する技術である。
そこで本発明は、多層紙の表出する紙層に透明化インキを印刷し、透かし形成部に異なった色の透かしを発現させた透かし入り多層紙を提供することを目的とするものである。
【課題を解決するための手段】
【０００５】
前記課題の目的を達成するために、本発明の透かし入り多層紙の第一の態様は、抄紙段階で上層紙と上層紙と異なる色で着色された下層紙が積層された二層紙であって、少なくとも上層紙には透明化インキにより透かしパターンが形成されたことを特徴とするものである。
【０００６】
また、第二の態様は、抄紙段階で、上層紙とそれぞれが上層紙と異なる色に着色された二つの紙層が積層された三層紙であって、表出する少なくとも何れかの紙層に透明化インキにより透かしパターンが形成されたことを特徴とするものである。
【０００７】
また、第三の態様は、抄紙段階で、上層紙，それぞれが上層紙と異なる色に着色された二つの中間層紙，上層紙と同一色の下層紙が順次積層された四層紙であって、表出する少なくとも何れかの紙層に透明化インキにより透かしパターンが形成されたことを特徴とするものである。
【０００８】
また、第四の態様は、第一，第二，第三何れかの態様において、透明化インキによる透かしパターンは、多層紙の抄紙後に形成されることを特徴とするものである。
【０００９】
また、第五の態様は、第一から第四、何れかの態様において、表出する何れかの紙層には、抄紙の段階で抄きこまれたスレッドが部分的に表出していることを特徴とするものである。
【発明の効果】
【００１０】
１）本発明の透かし入り多層紙の第一，第二，第三，第四の態様のように、抄紙段階で上層紙と上層紙と異なる色で着色された下層紙が積層された二層紙であって少なくとも上層紙には透明化インキにより透かしパターンが形成されたことによって、また、抄紙段階で上層紙とそれぞれが上層紙と異なる色に着色された二つの紙層が積層された三層紙であって表出する少なくとも何れかの紙層に透明化インキにより透かしパターンが形成されたことによって、また、抄紙段階で上層紙，それぞれが上層紙と異なる色に着色された二つの中間層紙，上層紙と同一色の下層紙が順次積層された四層紙であって表出する少なくとも何れかの紙層に透明化インキにより透かしパターンが形成されたことによって、また、第一，第二，第三何れかの態様において、透明化インキによる透かしパターンは、多層紙の抄紙後に形成されることによって、従来のように、抄紙段階で透かしを形成するのではなく、印刷によって形成するために、印刷物の自由な位置に、自由なパターンで、自由な色調で透かしを形成することができる。
その結果、「本発明の透かし入り多層紙」を在庫するだけで、顧客の要求に対し短納期で、安価に、従来にない有色の透かしが入った印刷物を提供することができる。
２）また、第五の態様のように、第一から第四、何れかの態様において、表出する何れかの紙層には、抄紙の段階で抄きこまれたスレッドが部分的に表出していることによって、透かし入り多層紙を使用した印刷物のセキュリティ性を更に高めることができる。
【発明を実施するための最良の形態】
【００１１】
以下、図面を参照して、本発明の透かし入り多層紙について説明する。
図１は、本発明の透かし入り多層紙について説明するための図，図２は、図１のＡ−Ａ線断面の一例について説明するための図，図３は、図１のＡ−Ａ線断面の、他の一例について説明するための図，図４は、図１のＡ−Ａ線断面の、他の一例について説明するための図，図５は、上層紙に抄紙の段階で抄きこまれたスレッドが部分的に表出している透かし入り多層紙について説明するための図，図６は、図５のＢ−Ｂ線断面の一例について説明するための図，図７は、スレッド入り多層紙の製造方法の一例について説明するための図，である。
【００１２】
図１を参照して、本発明の透かし入り多層紙について説明する。
本発明の透かし入り多層紙１は、抄紙段階で上層紙と、上層紙と異なる色で着色された着色紙（以下、二層以上の多層紙の場合は中間層紙ともいう），更に、下層紙が積層された多層紙である。
図に示すように、上層紙には印刷部３が設けられ、複数箇所に「ＳＥＣＵＲＩＴＹ」という文字による透かし２が形成されている。
多層紙１１は、二層から四層の紙の積層体で、上層紙とその下に形成されている中間層紙（図示せず）、または、下層紙（図示せず）で構成されている。
また、透かし部２には、文字，ロゴなどが透明化インキによって印刷されており、印刷された部分は上層紙を透明化している。
透明化された透かし部２を上層紙側から見た場合は、その下に積層された紙層の色が淡い色で視認される。
【００１３】
透明化インキによる透かし部２は、多層紙１１が抄紙された後に、印刷によって形成される。
従来の透かし入用紙の透かし部は抄紙段階で形成され、透かしの部分が回りの部分より厚さが薄くなっていたり、厚くなっていることによって透かしとして視認されるもので、着色された状態で視認されることはない。
本発明の透かし入り多層紙１の場合は、透かし部２も、それ以外の部分も厚さは同じで、すぐ裏の積層された着色紙の色が透けて見えることで、上層紙の紙の色とは異なった色の透かしが発現されている。
【００１４】
図２を参照して、図１のＡ−Ａ線断面の一例について説明する。
図２に示す多層紙１１は、抄紙段階で上層紙１１１と、上層紙と異なる色で着色された着色紙１１２が積層された多層紙１１の例である。
図に示すように、上層紙１１１には、文字による透かし２（斜線で表示した部分）が形成されている。
透かし部２は、透明化インキによって紙の繊維の隙間が埋められて透明となり、着色紙１１２の色が透けて見える状態になっている。
透かし部２は、実際は、図に示すように上層紙の表面から着色紙との境界に向けて直線的に透明化されているわけではなく、紙の繊維の重なり状態に沿って滲むように透明化され、前述の従来の透かし入り紙と近似の状態になっている。
【００１５】
図３を参照して、図１のＡ−Ａ線断面の、他の一例について説明する。
図３に示す多層紙１１０は、抄紙段階で上層紙１１１と、上層紙と異なる色で着色された中間に位置する着色紙１１２と、最下層に位置する着色紙１１３が積層された三層の多層紙の例である。
図に示すように、上層紙１１１には、文字による透かし２（斜線で表示した部分）が形成されている。
透かし部２は、透明化インキによって、紙の繊維の隙間が埋められて透明となり、着色紙１１２の色が透けて見える状態になる。
図２で説明したように、透かし部２は、図に示すように上層紙の表面から着色紙との境界に向けて直線的に透明化されているわけではなく、紙の繊維の重なり状態に沿って滲むように透明化され、前述の従来紙の透かしと近似の状態になっている。
【００１６】
最下層に位置する着色紙１１３は、上層紙と同じ色であってもよく、異なった色でも良い。
また、上層紙には透かしが形成されず、上層紙と同様の手段で着色紙１１３の表出面に透かしが形成されても良い。また、上層紙１１１と着色紙１１３の両方に透かしが形成されていても良い。
この場合、着色紙１１３が上層紙と同一色で、着色紙１１３の表出面に透かしが形成された場合は、上層紙と同じ状態で透かしが発現する。
また、着色紙１１３が上層紙と異なる色の紙で構成され、着色紙１１３の表出面にも透かしが形成された場合は、上層紙とは異なった色の紙面に上層紙側に発現する色と同じ色の透かしが発現することになる。
【００１７】
図４を参照して、図１のＡ−Ａ線断面の、他の一例について説明する。
図４に示す多層紙１１００は、抄紙段階で上層紙１１１と、中間に位置し、上層紙と異なる色で着色された着色紙１１２，１１３と下層紙１１４が積層された四層の多層紙の例である。
図に示すように、上層紙１１１には、文字による透かし２（斜線で表示した部分）が形成されている。
透かし部２は、透明化インキによって、紙の繊維の隙間が埋められて透明となり、着色紙１１２の色が透けて見える状態になる。
図２で説明したように、透かし部２は、図に示すように上層紙の表面から着色紙との境界に向けて直線的に透明化されているわけではなく、紙の繊維の重なり状態に沿って滲むように透明化され、前述の従来紙の透かしと近似の状態になっている。
【００１８】
上層紙１１１と下層紙１１４は同じ色のほうが単層の紙のように見えて好ましいのであるが、異なった色でも良い。
また、上層紙１１１の表出面には透かしが形成されず、下層紙１１４の表出面に上層紙と同様の手段で透かしが形成されていても良い。
また、上層紙１１１と下層紙１１４の両方に透かしが形成されていても良い。
上層紙１１１と下層紙１１４の両方に透かしが形成された場合、下層紙１１４が上層紙１１１と同一色の紙の場合は、上層紙１１１の表出面には着色紙１１２の色で透かしが発現し、下層紙１１４の表出面には着色紙１１３の色で透かしが発現する。
【００１９】
前述の３つの例（二層紙，三層紙，四層紙）いずれの場合も、透明化インキによって積層された下層紙の色が透かしとして発現するのであって、表出面の透明化インキを表面から順次削りとっても透かしパターンは消えることはない。
例えば、偽造を試みる者が、通常の印刷インキで透かしパターンを印刷した場合は、透かし部の表面を削り取ると透かし部が消滅してしまい、偽物であることが判ってしまう。
【００２０】
図５を参照して、上層紙に抄紙の段階で抄きこまれたスレッドが部分的に表出している透かし入り多層紙について説明する。
図１と、図３で説明した透かし入り多層紙１の上層紙と中間層紙の間にスレッド４を抄き込んで、スレッドを部分的に表出させたものである。
透かし入り多層紙１は、スレッド４を抄きこんだ多層紙１１を作製した後で、透かし２を印刷によって形成する。
【００２１】
図６を参照して、図５のＢ−Ｂ線断面の一例について説明する。
図５に示す透かし入り多層紙は、図３で説明した多層紙にスレッドが形成されている例であるが、上層紙１１１の一部に複数の開口部１１１０が形成されており、そこにスレッド４が形成されている。
スレッド４は、抄紙の工程で上層紙１１１が形成される直前に挟み込まれて形成される。
スレッド４は、上層紙１１１に複数形成された開口部では表出しているが、それ以外の部分では上層紙１１１と着色紙１１２の間に入り込んでいて判別できない状態になっている。
図６に示す例では、着色紙１１２の外側（上層紙１１１の逆側）に更に下層紙の役割を担う着色紙１１３が形成されている。
【００２２】
図示しないが、スレッドの一例について説明する。
スレッドとして、薄いプラスチックのフィルムの上に金属箔が形成されたものや、光回折構造などが形成されたものが使用される。
ここで、セキュリティ性が高い光回折構造が形成されたスレッドについて説明する。
先ず、ベースフィルムの片側に熱硬化性の樹脂層が形成され、熱硬化性の樹脂層に凹凸構造が形成され、凹凸構造の上に反射層が形成され、反射層上及びプラスチックフィルム面に接着剤層が形成され、テープ状にスリットされて使用される。
前記反射層は、前述の光回折構造形成層の凹凸面に反射性を与えるために設けられる。
反射層には、不透明な反射層と透明性を有する反射層とがあるが、意匠効果を高める手段として使用する場合は、アルミニウムや、ニッケルなどの金属による不透明な反射層を形成する。
反射層を形成する方法としては、真空蒸着法，スパッタリング法，イオンブレーティング法等があり、目的によって使い分ける。
【００２３】
図７を参照して、スレッド入り多層紙の製造方法の一例について説明する。
図７は、三層紙の製造に使用する円網型抄紙機の一例を示す概念図である。
抄紙機の最初のユニットである円網シリンダー５１で、下層紙を形成するための紙料を紙料懸濁液が入った糟５１０から掬い上げ、ベルト状の毛布５４上に転移させる。
次に、円網シリンダー５２で、中間層紙である着色紙を形成するための紙料を紙料懸濁液が入った糟５２０から掬い上げ、前述の下層紙の上に転移させる。
次に、円網シリンダー５３で、上層紙を形成するための紙料を紙料懸濁液が入った糟５３０から掬い上げ、中間層紙の上に転移させる。
このときに狭い帯状にスリットされたスレッド４を中間層紙と上層紙の間に挟み込む。
円網シリンダー５３には、上層紙の開口部を形成するための金属，樹脂，紙等で作製された型が取り付けられており、抄紙と同時に開口部が形成される。
開口部を形成するための型の形状は、長方形，正方形，円等任意の形状とすることができる。
スレッドが形成された三層の多層紙１１０は、毛布５４に転移された状態で抄紙機の乾燥装置５５の中に移動する。
乾燥された多層紙は、一旦はロール上に巻き取られ保管される。シートで供給される場合はシート状に裁断されて所定の大きさに仕上げられ、保管される。
【００２４】
印刷所では、所定のサイズの多層紙を購入し、透かしパターンを印刷する。
透かしは、透明化インキの浸透によって形成され、比較的多量のインキ量を必要とするために、多くの場合、凸版印刷方式，フレキソ印刷方式，グラビア印刷方式，シルクスクリーン印刷方式等で印刷される。
【００２５】
（材料）
本発明の透かし入り多層紙に使用される材料の一例について説明する。
本発明の透かし入り多層紙は、有価証券等に利用されるために、多層紙として仕上がった状態で坪量７０〜１５０ｇ／ｍ2となるようにそれぞれの層の厚さを設定する。
紙料は、ＮＢＫＰ，ＬＢＫＰに白土，紙力増強剤，サイズ剤，硫酸バンドを適量加え調製して作製する。
また、スレッドは、厚さ１６〜２５μｍの透明なポリエステルフィルムに、厚さ２〜６μｍの熱硬化性の樹脂層を形成し、樹脂層に光回折構造を形成し、光回折構造の表面に厚さ０．０４〜０．０８μｍのアルミニウム等による金属の反射層を形成し、反射層上及びプラスチックフィルムの表面にビニル系の感熱接着剤を５〜１０μｍの厚さに塗工し、スリッターで帯状にスリットして作製する。
【００２６】
フレキソ方式やグラビア方式で印刷する場合は、樹脂をアルコールなどの溶剤で溶解したビヒクルに助剤を添加して透明化インキを作製し、使用する。
凸版印刷方式で印刷される場合は、亜麻仁油をベースとした透明ワニスに助剤を混ぜて透明化インキを作製し、使用する。
その他の印刷方式で印刷する場合も、浸透性に優れた酸化重合型、紫外線硬化型のインキを使用する。
【産業上の利用可能性】
【００２７】
本発明の透かし入り多層紙は、商品券や株券などの有価証券，紙幣等に利用される。
【図面の簡単な説明】
【００２８】
【図１】本発明の透かし入り多層紙について説明するための図である。
【図２】図１のＡ−Ａ線断面の一例について説明するための図である。
【図３】図１のＡ−Ａ線断面の、他の一例について説明するための図である。
【図４】図１のＡ−Ａ線断面の、他の一例について説明するための図である。
【図５】上層紙に抄紙の段階で抄きこまれたスレッドが部分的に表出している透かし入り多層紙について説明するための図である。
【図６】図５のＢ−Ｂ線断面の一例について説明するための図である。
【図７】スレッド入り多層紙の製造方法の一例について説明するための図である。
【符号の説明】
【００２９】
１      透かし入り多層紙
２      透かし、または、透かし部
３      印刷部
４      スレッド
１１，１１０，１１００  多層紙
５１    下層紙形成のための円網シリンダー
５２    中間層紙形成のための円網シリンダー
５３    上層紙形成のための円網シリンダー
５４    毛布
５５    乾燥装置
１１１  上層紙
１１２，１１３  中間層紙、または、着色紙
１１４  下層紙
５１０，５２０，５３０  槽
１１１０  開口部
５３    乾燥装置
５４    毛布
【図１】
2008174873.tif 000003
【図２】
2008174873.tif 000004
【図３】
2008174873.tif 000005
【図４】
2008174873.tif 000006
【図５】
2008174873.tif 000007
【図６】
2008174873.tif 000008
【図７】
2008174873.tif 000009